(57)【特許請求の範囲】
【請求項１】
第一の絶縁操作ロッドにより閉及び接地位置に切り換え可能な接地断路部と、該接地断路部と電気的に接続され、内部が真空の真空容器内で電流の投入及び遮断を行う真空バルブと、前記真空バルブを駆動する第二の操作ロッドと、前記接地断路部の電気的接続にチューリップコンタクトを備え、前記チューリップコンタクトは、複数のセグメントと、前記複数のセグメントを締め付けるばねと、前記複数のセグメントが固定される固定台から構成され、前記接地断路部と前記真空バルブとが固体絶縁物で一体に覆われているスイッチギヤの製造方法において、
前記チューリップコンタクトをストッパーのある拡張やといに配置して、前記拡張やといを前記固定台に差し込み、前記チューリップコンタクトを前記接地断路部に取り付けることを特徴とするスイッチギヤの製造方法。
【請求項２】
請求項１に記載のスイッチギヤの製造方法において、
前記拡張やといは、前記拡張やといを分割した円筒形とし、内側から拡張部品で前記拡張やといを押し、径を自在に変更して、前記チューリップコンタクトを前記接地断路部に取り付けることを特徴とするスイッチギヤの製造方法。
【発明の詳細な説明】
【技術分野】
【０００１】
本発明は、接地断路部にチューリップコンタクトを有するスイッチギヤに関するものである。
【背景技術】
【０００２】
スイッチギヤは、スイッチギヤ構成機器と、スイッチギヤ構成機器を絶縁するための絶縁部と、スイッチギヤ構成機器を垂直方向に接合するための接合部を含む複数のコンポーネントを具備し、複数のコンポーネントを垂直方向に接続して構成される。接合部はチューリップコンタクトで摺動しており、電流通電を可能としている。従来のチューリップコンタクトの例について、特許文献１に記載されている構成を用いて説明する。チューリップコンタクトはセグメントとばねと固定台で構成されており、固定台にセグメントを取り付けた後に、ばねを取り付ける構造となっている。このチューリップコンタクトは外部で組み立てた後に、接地断路部に取り付けを行っている。
【先行技術文献】
【特許文献】
【０００３】
【特許文献１】特開２００４−１８７３８２号公報
【発明の概要】
【発明が解決しようとする課題】
【０００４】
上述したチューリップコンタクトは外部で組み立てをした後にスイッチギヤの接地断路部に取り付けが必要となる。従って、接地断路部に既に一体化されて設けられている固定台にチューリップコンタクトのセグメントを嵌め込む場合や、スイッチギヤが小型になる場合にチューリップコンタクトの取り付けが困難となる。
【０００５】
本発明は、上述の事柄に基づいてなされたもので、チューリップコンタクトを接地断路部に容易に取り付けできるスイッチギヤを提供することを目的とする。
【課題を解決するための手段】
【０００６】
本発明は、第一の絶縁操作ロッドにより閉及び接地位置に切り換え可能な接地断路部と、該接地断路部と電気的に接続され、内部が真空の真空容器内で電流の投入及び遮断を行う真空バルブと、前記真空バルブを駆動する第二の操作ロッドと、前記接地断路部と前記真空バルブとが固体絶縁物で一体に覆われているスイッチギヤにおいて、前記接地断路部の電気的接続にチューリップコンタクトを備え、前記チューリップコンタクトは、複数のセグメントと、前記複数のセグメントを締め付けるばねと、前記複数のセグメントが固定される固定台から構成され、前記固定台の先端にテーパーがあることを特徴とする。
【発明の効果】
【０００７】
本発明によれば、チューリップコンタクトを接地断路部に容易に取り付けできるスイッチギヤを提供できる。
【図面の簡単な説明】
【０００８】
【図１】実施例１のスイッチギヤの全体形状を示す正断面図であり、電圧及び電流の投入状態を示す図である。
【図２】チューリップコンタクトの構成を示しており、側面及び下面を示す図である。
【図３】チューリップコンタクトの取り付け方法を示す正断面図であり、取り付け前の準備状態を示した図である。
【図４】チューリップコンタクトの取り付け方法を示す正断面図であり、取り付け中の拡張やといの投入状態を示した図である。
【図５】チューリップコンタクトの取り付け方法を示す正断面図であり、取り付けが完了した状態を示した図である。
【図６】実施例２の拡張やといの構造を示した図である。
【発明を実施するための形態】
【０００９】
以下、本発明を実施する上で好適な実施の例について図面を用いて説明する。尚、下記はあくまでも実施の例に過ぎず、発明の内容は下記態様に限定されるものでないことは言うまでもない。
【実施例１】
【００１０】
実施例１について図１から図５を用いて説明する。
【００１１】
まず、図１は本発明のスイッチギヤの全体構成を示す正断面図であり、電圧及び電流の投入状態を示す図である。このスイッチギヤの開閉器ユニットは、接離自在の少なくとも一対の接点を有する真空バルブ１と、大気中に設けられ、直線状に３位置に変化させられる接地断路部可動電極１２と、可動電極が閉位置において可動電極を介して電気的に通電させられるブッシング側チューリップコンタクト１１と中間固定電極１３、可動電極が接地位置において可動電極を介して中間固定電極１３と通電させられる接地側チューリップコンタクト１４を備えた接地断路部１０と、真空バルブ１の固定側に接続されたケーブル用ブッシング４３と、接地断路部１０のブッシング側チューリップコンタクト１１に接続された母線用ブッシング４０と、接地断路部１０の中間固定電極１３と真空バルブ１の可動側を接続するフレキシブル導体１５と、真空バルブの可動側ホルダ７Bに機械的に接続された真空バルブ用操作ロッド２０と、接地断路部の可動側電極１２に機械的に接続された接地断路部用操作ロッド２１から構成され、真空バルブ１と母線用ブッシング中心導体４１と接地断路部用ブッシング側チューリップコンタクト１１の固定台５０と母線用ブッシング４０とケーブル用ブッシング４２を固体絶縁物３０で一体に注型した。なお、固体絶縁物３０で一体化した部分を斜線で示した。これら固体絶縁物で一体化したものを金属容器３１で覆っている。
【００１２】
真空バルブ１は、固定側セラミックス絶縁筒２Ａ、可動側セラミックス絶縁筒２Ｂ、固定側端板３Ａ及び可動側端板３Ｂから構成される真空容器内に、固定側電極６Ａ、可動側電極６Ｂと接続される固定側ホルダ７Ａ、可動側電極６Ｂと接続される可動側ホルダ７Ｂ及びセラミックス絶縁筒をアークから保護するためのアークシールド５を配備しており、固定側ホルダ７Ａはケーブル用ブッシング中心導体４３と接続され、負荷側へ電力を供給できるようになっている。真空バルブ１は可動側端板３Ｂと可動側ホルダ７Ｂに接続されたベローズ９によって内部の真空を維持しながら可動側電極６Ｂ、可動側ホルダ７Ｂを軸方向に移動可能とすることによって投入遮断状態を切り替えている。また、ベローズ９と可動側電極６Ｂの接続部近傍には開閉時のアーク等からベローズ９を保護するために、ベローズシールド８を設けており、併せてベローズ端部における電界の集中を緩和することもできる。固定側セラミックス絶縁筒２Ａの周囲には固定側端板３Ａとの接続部における電界集中を緩和するための固定側電界緩和シールド４Ａを配置し、可動側セラミックス絶縁筒２Ｂの周囲には可動側端板３Ｂとの接続部における電界集中を緩和するために可動側電界緩和シールド４Ｂをそれぞれ配置している。
【００１３】
接地断路部１０は、母線用ブッシング中心導体４１を介して母線側に接続されるブッシング用チューリップコンタクト１１と、接地電位とされている接地側チューリップ１４と、それらの中間に位置し、フレキシブル導体１５を介して真空バルブ側の可動側ホルダ７Ｂと電気的に接続される中間固定電極１３を備えており、内部は気中絶縁もしくはガス絶縁としている。また、これら各固定電極は一直線上に配置され、内径はいずれも等しくしている。中間固定電極１３と接地断路部可動電極１２は、ばね接点１６によって電気的に接続される。これらの各固定電極に対して接地断路部可動電極１２が接地断路部１０内を移動することで、閉・断路・接地の３位置に切り替えることが可能となる。接地断路部可動電極１２は、図示しない操作機構と操作ロッド２１で連結される。
【００１４】
母線用ブッシング４０は、母線用ブッシング中心導体４１の周囲を固体絶縁物３０で覆うことにより、また、ケーブル用ブッシング４２は、ケーブル用ブッシング中心導体４３の周囲を固体絶縁物３０で覆うことにより構成される。
【００１５】
真空バルブ用操作ロッド２０、接地断路器用操作ロッド２１、固体絶縁物３０の材料としては機械的強度と絶縁特性のいずれも良好で成形性のよいエポキシが使われることが多い。
【００１６】
図２にチューリップコンタクトの構造を示す。ブッシング用チューリップコンタクト１１と、接地側チューリップ１４はともに同じ形状を採用しているため、どちらか一方に本実施例のチューリップコンタクトを用いるようにしても、両方に用いるようにしても構わない。チューリップコンタクトは固定台（接地断路部ブッシング側固定台５７又は接地断路部接地側固定台５８：以下まとめて固定台５０と記載する）、セグメント５１、ばね５２から構成されている。セグメント５１は分割されており、ばねでセグメントを締め付ける。なお、接地断路部ブッシング側固定台５７の一端部は固体絶縁物３０内に一部か埋め込まれおり、アクセスするためには固体絶縁物３０内の狭い空間を通る必要がある。固定台５０の先端にはテーパーが設けられている。すなわち、図２の固定台５０の紙面上側に向けて斜めのテーパーが設けられている。セグメント５１は先端が丸まっていることで、取り付けが容易にできる構成となっている。すなわち、図２のセグメント５１は紙面下側の先端部が丸まっている。図３から図５に取り付け方法を示す。図３に示すように、ストッパーのついた拡張やとい５３Aにセグメント５１とばね５２を配置し、取り付ける準備をする。図４に示すように、固定台５０の凹部に拡張やとい５３Aを差し込む。セグメント５１の先端が丸まっており、固定台５０の先端にテーパーを設けているため、拡張やといを差し込むと、セグメント５１が固定台５０に乗り上げ、セグメント５１を固定台５０にはめることができる。はめこんだ後は、セグメントのひっかけ部５５と固定台のひっかけ部５６とが干渉することで外れないように構成されている。その後、図５に示すように拡張やといを抜くことで取り付けが完了する。
【００１７】
接地断路部に既に一体化されて設けられている固定台にチューリップコンタクトのセグメントを嵌め込む場合や、スイッチギヤが小型になる場合にチューリップコンタクトの取り付けが困難となるが、本構成によればチューリップコンタクトを接地断路部に容易に取り付けできるスイッチギヤを提供できる。
【実施例２】
【００１８】
実施例２について図６を用いて説明する。尚、実施例１と重複する箇所については、ここでの説明を省略する。
【００１９】
分割された円筒形の拡張やとい５３Bを用い、拡張部品５４で内側から拡張やとい５３Bを押すことで、拡張やとい５３Bの径を変更できるようにした点が実施例１と大きく異なる。これによりセグメント５１をばね５２で締め付けて一体化した場合に、拡張やといを差し込む際には、径を小さくすることで、セグメント５１とばね５２が一体化されたものを容易に拡張やといに設けることができる。
【００２０】
これにより接地断路部に既に一体化されて設けられている固定台にチューリップコンタクトのセグメントを嵌め込む場合や、スイッチギヤが小型になる場合にチューリップコンタクトの取り付けが困難となるが、本構成によればチューリップコンタクトを接地断路部に更に容易に取り付けできるスイッチギヤを提供できる。
【符号の説明】
【００２１】
１：真空バルブ
２Ａ：固定側セラミックス絶縁筒
２Ｂ：可動側セラミックス絶縁筒
３Ａ：固定側端板
３Ｂ：可動側端板
４Ａ：固定側電界緩和シールド
４Ｂ：可動側電界緩和シールド
５：アークシールド
６Ａ：固定側電極
６Ｂ：可動側電極
７Ａ：固定側ホルダ
７Ｂ：可動側ホルダ
８：ベローズシールド
９：ベローズ
１０：接地断路部
１１：接地断路部ブッシング側チューリップコンタクト
１２：接地断路部可動電極
１３：接地断路部中間固定電極
１４：接地断路部接地側チューリップコンタクト
１５：フレキシブル導体
１６：ばね接点
２０：真空バルブ用操作ロッド
２１：接地断路部用操作ロッド
３０：固体絶縁物
３１：金属容器
４０：母線用ブッシング
４１：母線用ブッシング中心導体
４２：ケーブル用ブッシング
４３：ケーブル用ブッシング中心導体
５０：固定台
５１：セグメント
５２：ばね
５３Ａ、５３Ｂ：拡張やとい
５４：拡張部品
５５：セグメントのひっかけ部
５６：固定台のひっかけ部
５７：接地断路部ブッシング側固定台
５８：接地断路部接地側固定台
【図１】
0006364364.tif 000002
【図２】
0006364364.tif 000003
【図３】
0006364364.tif 000004
【図４】
0006364364.tif 000005
【図５】
0006364364.tif 000006
【図６】
0006364364.tif 000007